(57)【特許請求の範囲】
【請求項１】
パネルに開口された取付孔に挿通して取り付けられ、相手のコネクタと嵌合されるパネル取付型コネクタであって、
ハウジングの挿通方向の後端側には、前記取付孔の裏面側の口縁に当接するシール部材が装着される一方、前記相手コネクタには、前記取付孔の表面側の口縁に当てられて前記シール部材との間で前記取付孔の口縁を挟むためのフランジが形成され、
かつ前記ハウジングの外面に、嵌合の助勢等のために前記相手コネクタと係合する係合部が突設されたものにおいて、
前記ハウジングの外面には、前記係合部の挿通を許容すべく設けられた前記取付孔の拡開部分に宛われる宛い部が設けられていることを特徴とするパネル取付型コネクタ。
【請求項２】
前記ハウジングには、前記取付孔の口縁に係止して抜け止め状態に保持する係止部が設けられていることを特徴とする請求項１記載のパネル取付型コネクタ。
【発明の詳細な説明】
【０００１】
【発明の属する技術分野】
本発明は、パネルに開口された取付孔に挿通して取り付けられ、相手のコネクタと嵌合されるパネル取付型コネクタに関する。
【０００２】
【従来の技術】
従来この種のコネクタとして、実開平４−７２４７６号公報に記載されたものが知られている。このものは、互いに嵌合される一対のコネクタのうちの一方が、パネルに開口された取付孔に裏面側から挿通されて、その後端側に装着されたシール部材を取付孔の裏面側の口縁に当てた状態で予め取り付けられる。そして、相手のコネクタを表面側から嵌合して、ここに設けられたボルトをパネル側のコネクタに設けられたナットにネジ込むことによって、両コネクタを互いに引き寄せるようにして嵌合し、併せてシール部材を取付孔の裏面側の口縁に押し付けて取付孔のシールを図っている。この種のコネクタでは、間にパネルがあることにより、両コネクタを手で持って嵌合させることができないため、ボルトの締結力を利用して嵌合力を助勢しているのである。
【０００３】
ところで、上記したボルト・ナット式のものは、それらをインサート成形によりハウジング内に埋設する必要があるために製造コストが高くつくという問題があり、それに代わり、嵌合力を助勢する手段としてレバーを用いたレバー式のものが考えられた。
このものは、パネルに取り付けられるコネクタの外面にフォロワピンを突設する一方、相手のコネクタにカム溝を設けたレバーを装着し、レバーの回動に伴うカム溝とフォロワピンとの係合により両コネクタを引き寄せて嵌合し、併せてシール部材により取付孔のシールを図ろうというものである。
【０００４】
【発明が解決しようとする課題】
しかしながら、上記のレバー式のものでも新たに問題が見つかった。それは、例えば図７に示すように、ハウジングａの左右の側面にフォロワピンｂが立てられている場合に、このフォロワピンｂの挿通を許容するためには、パネルｃの取付孔ｄをハウジングａの外形よりも横方向に広くせざるを得ない。そうすると、コネクタが取付孔ｄに挿通された状態では、ハウジングａと取付孔ｄとの間では横方向にクリアランスができるため、コネクタが同方向にずれるおそれがある。そうすると、シール部材ｅと取付孔ｄの口縁との位置がずれ、シールができなくなる。
【０００５】
なお、取付孔ｄの口縁にフォロワピンｂのみを逃がす逃がし溝を切り欠き形成することも考えられるが、パネルｃに込み入った形状の孔を開けるのは好ましくなく、できるだけ避けたいという事情がある。
本発明は上記のような事情に基づいて完成されたものであって、その目的は、コネクタがパネルの取付孔内で位置ずれすることを防止するところにある。
【０００６】
【課題を解決するための手段】
上記の目的を達成するための手段として、請求項１の発明は、パネルに開口された取付孔に挿通して取り付けられ、相手のコネクタと嵌合されるパネル取付型コネクタであって、ハウジングの挿通方向の後端側には、前記取付孔の裏面側の口縁に当接するシール部材が装着される一方、前記相手コネクタには、前記取付孔の表面側の口縁に当てられて前記シール部材との間で前記取付孔の口縁を挟むためのフランジが形成され、かつ前記ハウジングの外面に、嵌合の助勢等のために前記相手コネクタと係合する係合部が突設されたものにおいて、前記ハウジングの外面には、前記係合部の挿通を許容すべく設けられた前記取付孔の拡開部分に宛われる宛い部が設けられている構成としたところに特徴を有する。
【０００７】
請求項２の発明は、請求項１に記載のものにおいて、前記ハウジングには、前記取付孔の口縁に係止して抜け止め状態に保持する係止部が設けられているところに特徴を有する。
【０００８】
【発明の作用及び効果】
＜請求項１の発明＞
ハウジングの外面に設けられた宛い部が取付孔の拡開部分に宛われて、いわばクリアランスを埋めるように機能し、コネクタが取付孔内で位置ずれすることが防止される。シール部材が取付孔の裏面の口縁の全周にわたって正規に当接され、取付孔のシールが確実に取られる。
【０００９】
＜請求項２の発明＞
コネクタが取付孔に挿通されると、係止部が取付孔の口縁に係止して保持される。
【００１０】
【発明の実施の形態】
以下、本発明の一実施形態を図１ないし図６に基づいて説明する。
この実施形態では、図１に示すように、自動車の車室１とエンジン室２とを隔てるパネルＰを挟んで互いに嵌合される雌雄一対のコネクタＦ，Ｍを備えており、雄コネクタＭが、パネルＰに開口された取付孔４に対して車室１側から挿通されて予め取り付けられ、この取り付けられた雄コネクタＭに対して、雌コネクタＦがエンジン室２側から嵌合されるようになっている。
【００１１】
パネルＰに取り付けられる側の雄コネクタＭは、図２，３にも示すように、断面略長方形をなす雄ハウジング１０を備えており、その前端側（図１の手前側）が、相手の雌コネクタＦの雌ハウジング３０におけるフード部３３内に嵌合可能とされているとともに、この雄ハウジング１０の前面には、雌ハウジング３０の本体部３１が内側に嵌合可能な嵌合凹部１１が形成されている。雄ハウジング１０内には、雄側端子金具（図示せず）を挿入可能な複数のキャビティ１２が整列して形成され、各キャビティ１２に、雄側端子金具がそのタブ部を嵌合凹部１１内に臨ませた状態で収容されている。
【００１２】
雄ハウジング１０の後端側にはフランジ１４が形成され、フランジ１４の外周に、取付孔４の口縁をシールするためのゴムリング１５が装着されるようになっている。また、雄ハウジング１０の上下両面におけるフランジ１４の少し手前の位置には、幅方向の中央部において上下一対の隆起部１７が形成され、各隆起部１７には、雄コネクタＭをパネルＰに仮保持することに用いる係止片１８が形成されている。係止片１８は後方を向いた片持ち状に形成されて内外に撓み変形可能となっており、係止片１８の外面には、パネルＰの取付孔４の表面側の口縁に係止可能な突起１９が形成されている。なお、隆起部１７と係止片１８の突起１９の手間側の面は、ガイド用に斜面１７Ａ，１９Ａとされている。
【００１３】
雄ハウジング１０の左右の側面には、その前端寄りの位置に、後記する雌コネクタＦ側に装着されたレバー３７と係合する一対のフォロワピン２０が突設されている。したがって、雄コネクタＭを挿通すべくパネルＰに形成された取付孔４は、雄ハウジング１０の外形寸法よりも大きく形成され、具体的には、縦幅が上下の隆起部１７をほぼ緊密に嵌めることのできる寸法に取られ、横幅は左右のフォロワピン２０を挿通するに足る寸法に広げられている。
【００１４】
また、雄ハウジング１０のフランジ１４に装着されるゴムリング１５は、上記した取付孔４の寸法に対応して、取付孔４の裏面側の口縁の全周にわたって当接可能な大きさに形成されている。ゴムリング１５は、図２に示すように、内周面に溝２３が形成された形状であって、溝底において周方向に間隔を開けて所定箇所に形成された嵌合孔２４を、フランジ１４の外周に立てられた頭付きの取付ピン２５に無理嵌めすることで、フランジ１４の外周縁を覆うようにして嵌着されている。
【００１５】
相手の雌コネクタＦの構造を簡単に説明すると、以下のようである。雌コネクタＦの雌ハウジング３０は、雌側端子金具（図示せず）を収容可能なキャビティ３２を対応して整列して設けた本体部３１と、その本体部３１の前方を覆うフード部３３とを備えており、フード部３３の先端には、パネルＰの取付孔４の表面側の口縁に突き当て可能な外向きのフランジ３４が形成されている。なお、フード部３３ならびにフランジ３４は、上下の面において、雄コネクタＭ側の隆起部１７を逃がす逃がし溝３５が、また左右の面において、同じく雄コネクタＭ側のフォロワピン２０を逃がす逃がし溝３５がそれぞれ形成されている。
【００１６】
また、雌コネクタＦには、嵌合の助勢用のレバー３７が雌ハウジング３０の上面を跨ぐようにして装着されている。このレバー３７には、上記した雄コネクタＭ側のフォロワピン２０と嵌合可能なカム溝３８が形成されていて、図６の鎖線に示す誘い込み位置と、同図の実線に示す嵌合位置との間で、軸４０を中心として揺動可能となっている。雌ハウジング３０の上面の後端側には、レバー３７を嵌合位置にロックするロック片４２が設けられているとともに、雌ハウジング３０の後面には、そこから引き出された電線（図示せず）をまとめて収容して所定方向に引き出すためのカバー４３が装着されるようになっている。
【００１７】
さて、この実施形態では、雄ハウジング１０における左右の側面に、一対の宛い用のリブ４５が立てられている。両リブ４５は、雄ハウジング１０の後端側においてフォロワピン２０の奥方に対応して形成されており、図５に示すように、フォロワピン２０の突出端よりも少し外方に出っ張って形成されている。言い換えると、左右のリブ４５の突出した外面の間の寸法が、パネルＰの取付孔４の横幅寸法とほぼ等しく設定されている。また、両リブ４５の前面は、ガイド用に斜面４６とされている。
【００１８】
本実施形態は上記のような構造であって、続いてその組み付け手順を説明する。まず、図１の矢線に示すように、雄コネクタＭが車室１側からパネルＰの取付孔４に挿入される。取付孔４は予め横幅が広く形成されているから、雄ハウジング１０の左右の側面から突出したフォロワピン２０も支障なく挿入される。挿入が進むと、左右のリブ４５の斜面４６と、上下の隆起部１７の斜面１７Ａとが、取付孔４の裏面側の口縁に当たることで雌コネクタＦが芯出しされた状態で押し込まれ、さらに進むと、上下の係止片１８が内方に撓み変形しつつ押し込まれる。
【００１９】
ゴムリング１５が取付孔４の裏側の口縁に突き当たるまで押し込まれると、パネルＰが係止片１８の突起１９を越えることで、係止片１８が外方に復元変形し、突起１９が取付孔４の表側の口縁に係止することにより、図４及び図５に示すように、雌コネクタＦはパネルＰに対して車室１側への抜け止め状態に仮保持される。
このとき、雄ハウジング１０の上下の隆起部１７の奥端側が取付孔４の上下の周縁内に緊密に嵌合する一方、左右のリブ４５の奥端側が、取付孔４の左右の周縁内に緊密に嵌合され、雄コネクタＭは取付孔４内において、上下並びに左右にガタ付きのない状態で仮保持される。
【００２０】
続いて、エンジン室２側から雌コネクタＦをパネルＰから突出した雄コネクタＭに向けて嵌合する。このときは、レバー３７は誘い込み位置（図１の実線）に位置しており、雌コネクタＦの差し込みに伴い、雄コネクタＭ側のフォロワピン２０がレバー３７の対応するカム溝３８の入り口に導入され、引き続いてレバー３７を図６の実線に示す嵌合位置に向けて回動すると、カム溝３８とフォロワピン２０との係合により雌雄のコネクタＦ，Ｍが互いに引き寄せられるようにして嵌合される。そして、レバー３７が嵌合位置まで回動されてロック片４２によりロックされると、雌コネクタＦのフランジ３４が表側から、雄コネクタＭのフランジ１４がゴムリング１５を介して裏側から取付孔４の口縁を挟み付け、雌雄のコネクタＦ，ＭがパネルＰを貫通して嵌合した状態となる。
【００２１】
また、雄コネクタＭをパネルＰの取付孔４に挿通して保持してから、雌コネクタＦを嵌合する間、上下の隆起部１７が取付孔４の上下の周縁に、また左右のリブ４５が取付孔４の左右の周縁にそれぞれ緊密に嵌まって、雄コネクタＭが取付孔４内において上下並びに左右にガタ付きのない状態で保持されているから、雄コネクタＭに装着されたゴムリング１５は、取付孔４の裏面側の口縁に全周にわたって正規に押し付けられた状態となり、取付孔４におけるシールも確実に取られる。
【００２２】
以上説明したように、特に雄ハウジング１０の側面にフォロワピン２０が立てられていることにより、そのフォロワピン２０の挿通を許容するためにパネルＰの取付孔４が横幅方向に広げられていて、雄ハウジング１０と取付孔４との間にクリアランスができて横方向に位置ずれするおそれがあるが、この実施形態では、雄ハウジング１０にそのクリアランスを埋めるようにして取付孔４の左右の周縁に宛われるリブ４５が設けられているから、雄コネクタＭが取付孔４内で横ずれするおそれがない。そのため、ゴムリング１５が取付孔４の裏面側の口縁に全周にわたって正規に当てられ、取付孔４の部分でのシール機能を確実に果たすことができる。
【００２３】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、取付孔の左右の周縁に宛われるリブをフォロワピンの真後ろの位置に設けたが、要は雄コネクタの横方向の位置ずれを防止するように宛われればよいのであるから、リブの位置はフォロワピンの真後ろの位置からずれていてもよい。
【００２４】
（２）また嵌合力を助勢するための手段として、パネル側とは反対側のコネクタにカム溝を有するスライダを設ける一方、パネル側のコネクタの外面にカム溝と係合するフォロワピンを立てた形式のものもあるが、このような形式のパネル取付型コネクタにも本発明は同様に適用できる。
（３）本発明は、パネルに取り付けられる側のコネクタが雌コネクタの場合にも、同様に適用することができる。
（４）また本発明は、自動車の車室とエンジン室とを仕切るパネルに限らず、その他の部位に配されたパネルに予め取り付けられて、相手のコネクタを待ち受ける形式のパネル取付型のコネクタ全般に広く適用することができる。
【図面の簡単な説明】
【図１】本発明の一実施形態の分解斜視図
【図２】雄コネクタの一部切欠側面図
【図３】その正面図
【図４】雄コネクタがパネルに取り付けられた状態の斜視図
【図５】その平断面図
【図６】雌雄のコネクタが嵌合された状態の一部切欠平断面図
【図７】従来例の斜視図
【符号の説明】
Ｐ…パネル
Ｍ…雄コネクタ
Ｆ…雌コネクタ
４…取付孔
１０…雄ハウジング
１５…ゴムリング（シール部材）
１８…係止片（係止部）
２０…フォロワピン（係合部）
３７…レバー
４５…リブ（宛い部）
【図１】
0003541695.tif 000002
【図２】
0003541695.tif 000003
【図３】
0003541695.tif 000004
【図４】
0003541695.tif 000005
【図５】
0003541695.tif 000006
【図６】
0003541695.tif 000007
【図７】
0003541695.tif 000008